(57)【要約】      （修正有）【課題】１枚の貝殻を用いた場合の見栄えを実現するとともに表裏の区別のない桜貝アクセサリーを実現するのに好適な桜貝アクセサリーを提供する。【解決手段】桜貝アクセサリー１０は、表面を研磨して均一化した貝殻の凸面を透明樹脂でコーティングするとともに、貝殻の凹面が凸面と同一又はほぼ同程度に隆起するように凹面を透明樹脂でコーティングしてなる。これにより、１枚の貝殻を用いた場合の見栄えを有し且つ表裏の区別のない桜貝アクセサリー１０を製造することができる。【選択図】図１
0003210020.tif 000002
【実用新案登録請求の範囲】
【請求項１】
対となる桜貝の１枚の貝殻を用いてなる桜貝アクセサリーであって、
表面を研磨して均一化した前記貝殻の凸面を透明樹脂でコーティングするとともに、前記貝殻の凹面が前記凸面と同一又はほぼ同程度に隆起するように当該凹面を前記透明樹脂でコーティングしてなることを特徴とする桜貝アクセサリー。
【考案の詳細な説明】
【技術分野】
【０００１】
本考案は、桜貝の貝殻を用いてなる桜貝アクセサリーに係り、特に、１枚の貝殻を用いた場合の見栄えを実現するとともに表裏の区別のない桜貝アクセサリーを実現するのに好適な桜貝アクセサリーに関する。
【背景技術】
【０００２】
従来、貝殻を用いたアクセサリーの製造方法としては、例えば、風化して砕けたあわびなどの貝殻の薄片に注型用液状合成樹脂を加えて硬化させた螺鈿（らでん）が知られている（特許文献１）。
【先行技術文献】
【特許文献】
【０００３】
【特許文献１】実開平４−７９６９９号公報
【考案の概要】
【考案が解決しようとする課題】
【０００４】
ところで、対となる桜貝の１枚の貝殻を用いてなる桜貝アクセサリーを製造する場合、例えば、次の製法により製造することが考えられる。
【０００５】
（１）貝殻の凸面に透明の液体樹脂を塗布し、凝固するまで待つ。
（２）液体樹脂が流れ出て、貝縁からはみ出て凝固したものを削り取る。
【０００６】
（３）貝殻の凹面に縁ギリギリまで樹脂を流し込み、凝固するまで待つ。
このように製造された桜貝アクセサリーは、例えばネックレスのヘッドとして用いた場合、半楕円体となっている凸面側を正面にして身につけることとなる。しかしながら、この桜貝アクセサリーは、凸面側が半楕円体となり、凹面側が平坦面となっているので表と裏の区別がある。このため、使用者は、身につける際にヘッドが表か裏かを確認し、裏になっている場合は凸面側を正面に向けるという作業が必要となる。
【０００７】
２枚の貝殻を用いれば表裏の区別のない桜貝アクセサリーを製造することができる。しかし一方で、１枚の貝殻を用いる場合は、２枚の貝殻を用いる場合に比して異なる見栄えを実現することができるという利点がある。そこで、１枚の貝殻を用いて表裏の区別のない桜貝アクセサリーを製造することが望まれるが、これを実現する技術は特許文献１記載の技術を含め未だ知られていない。
【０００８】
そこで、本考案は、このような従来の技術の有する未解決の課題に着目してなされたものであって、１枚の貝殻を用いた場合の見栄えを実現するとともに表裏の区別のない桜貝アクセサリーを実現するのに好適な桜貝アクセサリーを提供することを目的としている。
【課題を解決するための手段】
【０００９】
〔考案１〕  上記目的を達成するために、考案１の桜貝アクセサリーは、対となる桜貝の１枚の貝殻を用いてなる桜貝アクセサリーであって、表面を研磨して均一化した前記貝殻の凸面を透明樹脂でコーティングするとともに、前記貝殻の凹面が前記凸面と同一又はほぼ同程度に隆起するように当該凹面を前記透明樹脂でコーティングしてなる。
【考案の効果】
【００１０】
以上説明したように、考案１の桜貝アクセサリーによれば、１枚の貝殻を用いた場合の見栄えを有し且つ表裏の区別のない桜貝アクセサリーを製造することができる。
【図面の簡単な説明】
【００１１】
【図１】桜貝アクセサリー１０の正面図である。
【図２】桜貝アクセサリー１０の背面図である。
【図３】桜貝アクセサリー１０の左側面図である。
【図４】桜貝アクセサリー１０の右側面図である。
【図５】桜貝アクセサリー１０の平面図である。
【図６】桜貝アクセサリー１０の底面図である。
【図７】桜貝アクセサリー１０の断面図である。
【考案を実施するための形態】
【００１２】
以下、本考案の実施の形態を説明する。図１乃至図７は、本実施の形態を示す図である。
【００１３】
図１は、桜貝アクセサリー１０の正面図である。
図２は、桜貝アクセサリー１０の背面図である。
【００１４】
図３は、桜貝アクセサリー１０の左側面図である。
図４は、桜貝アクセサリー１０の右側面図である。
【００１５】
図５は、桜貝アクセサリー１０の平面図である。
図６は、桜貝アクセサリー１０の底面図である。
【００１６】
図７は、桜貝アクセサリー１０の断面図である。
桜貝アクセサリー１０は、図１乃至図７に示すように、対となる桜貝の１枚の貝殻１２を透明樹脂でコーティングして成形したものである。桜貝アクセサリー１０は、次の製法により製造される。
【００１７】
（１）貝殻１２の表面を研磨して均一化する。ここで、研磨・均一化とは、貝殻１２の表面に付着したゴミその他の不純物を水洗いや研磨等により取り除き、桜貝が本来のもつ光沢を再現することをいう。すなわち、研磨により貝殻１２の光沢を均一化することである。
【００１８】
（２）貝殻１２の凹面１２ａに透明の液体樹脂を流し込む。表面張力を利用し、縁から漏れ出ないぐらいまで盛る。凝固するまで３〜７日密閉箱で保存する。
【００１９】
（３）貝殻１２の凹面１２ａに液体樹脂を盛る。縁から流れこぼれないように（１）の工程を２〜３回繰り返し、貝殻１２の凸面１２ｂと同一又はほぼ同程度に隆起するように凹面１２ａに透明樹脂を何層にもコーティングする。
【００２０】
（４）貝殻１２の凸面１２ｂに液体樹脂を塗布し、凝固するまで３〜７日密閉箱で保存する。
【００２１】
（５）桜貝アクセサリー１０の入出水管側（図１左隅）に貫通孔１４を空ける。
こうして製造された桜貝アクセサリー１０は、金具、糸又は紐等を貫通孔１４に通し、ペンダント、ネックレス、イヤリング、ピアス又は指輪等の装身具に使用することができる。
【００２２】
このようにして、本実施の形態では、桜貝アクセサリー１０は、表面を研磨して均一化した貝殻１２の凸面１２ｂを透明樹脂でコーティングするとともに、貝殻１２の凹面１２ａが凸面１２ｂと同一又はほぼ同程度に隆起するように凹面１２ａを透明樹脂でコーティングしてなる。
【００２３】
これにより、１枚の貝殻を用いた場合の見栄えを有し且つ表裏の区別のない桜貝アクセサリー１０を製造することができる。
【００２４】
なお、上記実施の形態においては、対となる桜貝の１枚の貝殻１２を用いて桜貝アクセサリー１０を製造する場合について本考案を適用したが、これに限らず、本考案の主旨を逸脱しない範囲で他の場合にも適用可能である。
【符号の説明】
【００２５】
１０…桜貝アクセサリー、  １２…貝殻、  １２ａ…凹面、  １２ｂ…凸面、  １４…貫通孔
【図１】
0003210020.tif 000003
【図２】
0003210020.tif 000004
【図３】
0003210020.tif 000005
【図４】
0003210020.tif 000006
【図５】
0003210020.tif 000007
【図６】
0003210020.tif 000008
【図７】
0003210020.tif 000009